(57)【要約】【課題】少ない労力で手軽に飲用水とともに生活用水を確保できる浄水装置を提供する。【解決手段】原水を所定圧力で送出可能な畜圧式のポンプ１００と、ポンプ１００が送出した原水を濾過して生活用水を生成する第１フィルター部２００と、生活用水を濾過して飲用水を生成する第２フィルター部３００と、ポンプ１００が送出した原水を第１フィルター部２００に導く第１導水パイプ４１０と、生活用水を第２フィルター部３００に導く第２導水パイプ４２０と、第２フィルター部３００で生成された飲用水を外部に流出させる飲用水流出パイプ４３０と、第２導水パイプ４２０の中途部に設けられ、生活用水を第２フィルター部３００に導くか当該第２導水パイプ４２０から分岐して外部に流出させるかのいずれかに切り替え可能な流路切り替えバルブ５００と、第２導水パイプ４２０から分岐された生活用水を外部に流出させる生活用水流出パイプ４４０とを備える浄水装置。【選択図】図１
2018015729.tif 000002
【特許請求の範囲】
【請求項１】
除去対象物質を含んだ原水を濾過することにより、生活用水と当該生活用水よりも純度の高い飲用水とを生成する浄水装置であって、
前記原水を貯留して、貯留した原水を所定圧力で送出可能な畜圧式のポンプと、
前記ポンプが送出した原水を濾過して前記生活用水を生成する第１フィルター部と、
前記第１フィルター部で生成された前記生活用水をさらに濾過して前記飲用水を生成する第２フィルター部と、
前記ポンプと前記第１フィルター部との間に配設され、前記ポンプが送出した原水を前記第１フィルター部に導くための第１導水パイプと、
前記第１フィルター部と前記第２フィルター部との間に配設され、前記第１フィルター部で生成された前記生活用水を前記第２フィルター部に導くための第２導水パイプと、
前記第２フィルター部に接続され、当該第２フィルター部で生成された前記飲用水を外部に流出させるための飲用水流出パイプと、
前記第２導水パイプの中途部に設けられ、前記生活用水を前記第２フィルター部に導くか、当該第２導水パイプから分岐して外部に流出させるかのいずれかに切り替え可能な流路切り替えバルブと、
前記流路切り替えバルブに接続され、前記第２導水パイプから分岐された前記生活用水を外部に流出させるための生活用水流出パイプと、
を備えることを特徴とする浄水装置。
【請求項２】
請求項１に記載の浄水装置において、
前記ポンプは、手動によって操作可能なポンプであることを特徴とする浄水装置。
【請求項３】
請求項１又は２に記載の浄水装置において、
第１フィルター部は、プレフィルター及びカーボンフィルターが用いられており、前記原水が前記プレフィルターを通過した後に前記カーボンフィルターを通過するように構成されていることを特徴する浄水装置。
【請求項４】
請求項３に記載の浄水装置において、
前記第２フィルター部は、逆浸透膜フィルターが用いられており、前記第１フィルター部で生成された前記生活用水を、前記飲用水としての透過水と、濃縮水とに分離することを特徴する浄水装置。
【請求項５】
請求項４に記載の浄水装置において、
前記逆浸透膜フィルターには、前記飲用水流出パイプに加えて、前記逆浸透膜フィルターで分離された前記濃縮水を外部に流出させる濃縮水流出パイプが接続されていることを特徴する浄水装置。
【請求項６】
請求項５に記載の浄水装置において、
前記濃縮水流出パイプには、前記濃縮水の流出量を調整可能な濃縮水流出量調整バルブが設けられていることを特徴とする浄水装置。
【請求項７】
請求項６に記載の浄水装置において、
前記ポンプと、前記第１フィルター部と、第２フィルター部と、前記第３フィルター部と、前記第１導水パイプと、前記第２導水パイプと、前記飲用水流出パイプと、前記生活用水流出パイプと、前記濃縮水流出パイプと、前記流路切り替えバルブとを収納可能な収納ケースをさらに備え、
前記飲用水流出パイプの少なくとも飲用水流出口、前記生活用水流出パイプの少なくとも生活用水流出口及び前記濃縮水流出パイプの少なくとも濃縮水流出口は、前記収納ケースから外方に突出していることを特徴とする浄水装置。
【請求項８】
請求項７に記載の浄水装置において、
前記飲用水流出パイプの少なくとも飲用水流出口、前記生活用水流出パイプの少なくとも生活用水流出口及び前記濃縮水流出パイプの少なくとも濃縮水流出口は、互いに異なった色で着色されていることを特徴とする浄水装置。
【請求項９】
請求項７又は８に記載の浄水装置において、
前記流路切り替えバルブ及び前記濃縮水流出量調整バルブは、前記収納ケースの外面から操作可能に設けられていることを特徴とする浄水装置。
【請求項１０】
請求項７〜９のいずれかに記載の浄水装置において、
前記収納ケースは、内部が空洞で上端部及び下端部が開口となっている胴体部と、当該胴体部の上端部を塞ぐ上蓋と、当該胴体部の下端部を塞ぐ及び底蓋と、を有し、前記上蓋及び底蓋は、共通の金型によって成型されたものであることを特徴とする浄水装置。
【請求項１１】
請求項１〜１０に記載の浄水装置において、
前記生活用水流出パイプには、第３フィルター部が介在され、当該第３フィルター部は、ＭＦ膜（Micro Filtration Membrane）フィルター又はＵＦ膜（Ultra Filtration Membrane）フィルターが用いられていることを特徴とする浄水装置。
【発明の詳細な説明】
【技術分野】
【０００１】
本発明は、除去対象物質を含んだ原水を濾過することにより、生活に必要な水を確保するための浄水装置に関する。
【背景技術】
【０００２】
地震や台風などによる災害時においては、水道、電力、ガスなどのライフラインの寸断が被災者の生活に大きな影響を与えることとなる。特に、生活に必要な水の確保は重要な課題である。ここで、「生活に必要な水」とは、飲用として用いる飲用水及び飲用以外において用いる生活用水の総称であるとする。
【０００３】
災害時などにおいては、水道以外の例えば、河川、貯水池及び貯水槽に貯めた雨水などから生活に必要な水を生成するための浄水装置の存在は重要なものとなる。このような浄水装置は、種々提案されている（例えば、特許文献１参照。）。
【０００４】
特許文献１に記載されている浄水装置は、河川、貯水池及び貯水槽に貯めた雨水などを手動式のポンプによって直列に配置された複数のフィルターに送り込み、当該フィルターで順次濾過することによって、飲用水を生成するものである。なお、特許文献１に記載されている浄水装置においては、カーボンフィルターと逆浸透膜（Reverse Osmosis Membrane）フィルターとを採用しており、カーボンフィルターにより臭気、塩素及びゴミが除去されたのちに、逆浸透膜フィルター（以下、ＲＯ膜フィルターともいう。）によって殆どの化学物質や放射性物質などが除去された純度の高い水（ほぼ純水）を生成するようにしている。
【先行技術文献】
【特許文献】
【０００５】
【特許文献１】実用新案登録第３０９８８７８号公報
【発明の概要】
【発明が解決しようとする課題】
【０００６】
災害時などにおいては、飲用水の確保は人間の生命維持という点からは確かに重要なことであるが、飲用水以外の生活用水を確保することも重要である。特許文献１に記載されている浄水装置においては、飲用水の確保は可能であるが、生活用水の確保には課題がある。
【０００７】
すなわち、特許文献１に記載されている浄水装置は、ＲＯ膜フィルターによって飲用水を生成するようにしているため、飲用に適した純度の高い水を得ることができる。ここで、ＲＯ膜フィルターは、上流側のフィルター（カーボンフィルタ―など）で濾過された濾過水を逆浸透膜で透過水と濃縮水とに分離して、濃縮水は排水し、透過水を飲用水として取り出すようにしているが、ＲＯ膜フィルターによる飲用水の原水に対する比率（回収率とする。）は低い。なお、濃縮水は、化学物質などが濃縮されたものとなっており、上流側のフィルター（カーボンフィルターなど）で濾過された後の水よりも、高い濃度で化学物質などの不純物が含まれたものとなっている。このため、濃縮水は、生活用水として使用するには適切ではない場合もある。
【０００８】
このように、特許文献１に記載されている浄水装置は、災害時などにおける飲用水の確保のための浄水装置としては実用可能であると考えられるが、飲用水の他に生活用水までを確保するには課題がある。特に、特許文献１に記載されている浄水装置のように、ポンプとして手動式のポンプを用いた浄水装置においては、飲用水とともに生活用水の確保を行うには、原水を送り込むためにポンプを長時間、人力によって稼働させる必要があるため、大きな労力が必要となるといった課題がある。
【０００９】
また、特許文献１に記載されている浄水装置においては、ポンプから原水を送出する際の圧力を所定の圧力（ＲＯ膜フィルターを適切に機能させるための圧力）とするために、手動式ポンプの加圧ハンドルを決められたピッチ（例えば、１秒間に１回）で上下動させるといった操作を継続的に行う必要があるため、不慣れな使用者とっては取り扱いが容易ではなく、手軽さに欠けるといった課題もある。
【００１０】
なお、手動式ポンプと、電気や化石燃料（例えばガソリンなど）のエネルギーによって作動するポンプ（動力式ポンプという。）とを選択的に使用可能な浄水装置も存在するが、このような浄水装置は、高価なものとなるとともに、エネルギーの供給ができない場合には、結局は手動式ポンプを使用する必要があり、飲用水の確保とともに生活用水までを確保するためには、上記同様の課題がある。
【００１１】
本発明は上記事情に鑑みてなされたものであり、大きな労力を必要とせず手軽に飲用水と生活用水とを生成可能な浄水装置を提供することを目的とする。
【課題を解決するための手段】
【００１２】
［１］本発明の浄水装置は、除去対象物質を含んだ原水を濾過することにより、生活用水と当該生活用水よりも純度の高い飲用水とを生成する浄水装置であって、前記原水を貯留して、貯留した原水を所定圧力で送出可能な畜圧式のポンプと、前記ポンプが送出した原水を濾過して前記生活用水を生成する第１フィルター部と、前記第１フィルター部で生成された前記生活用水をさらに濾過して前記飲用水を生成する第２フィルター部と、前記ポンプと前記第１フィルター部との間に配設され、前記ポンプが送出した原水を前記第１フィルター部に導くための第１導水パイプと、前記第１フィルター部と前記第２フィルター部との間に配設され、前記第１フィルター部で生成された前記生活用水を前記第２フィルター部に導くための第２導水パイプと、前記第２フィルター部に接続され、当該第２フィルター部で生成された前記飲用水を外部に流出させるための飲用水流出パイプと、前記第２導水パイプの中途部に設けられ、前記生活用水を前記第２フィルター部に導くか、当該第２導水パイプから分岐して外部に流出させるかのいずれかに切り替え可能な流路切り替えバルブと、前記流路切り替えバルブに接続され、前記第２導水パイプから分岐された前記生活用水を外部に流出させるための生活用水流出パイプと、を備えることを特徴とする。
【００１３】
このように、本発明の浄水装置においては、第１フィルター部で生成された生活用水を第２フィルター部に導くか、当該第２導水パイプから分岐して外部に流出させるかのいずれかに切り替え可能な流路切り替えバルブを備えている。このため、本発明の浄水装置によれば、第１フィルター部で生成された生活用水と、第２フィルター部で生成された飲用水とを選択的に利用できる。これにより、本発明の浄水装置によれば、大きな労力を必要とせず手軽に飲用水と生活用水とを生成可能な水装置を提供することができる。
【００１４】
また、本発明の浄水装置においては、畜圧式のポンプを使用しているため、所定の圧力を所定時間、維持した状態で原水を送出できるため、特許文献１に記載の浄水装置のように、手動式ポンプの加圧ハンドルを決められたピッチ（例えば、１秒間に１回）で上下動させるといった操作を継続的に行う必要はなく、不慣れな使用者とっても取り扱いを容易なものとすることができ、手軽に使用できるといった効果が得られる。
【００１５】
［２］本発明の浄水装置においては、前記ポンプは、手動によって操作可能なポンプであることが好ましい。
【００１６】
このように、ポンプとして、手動によって操作可能なポンプを採用することにより、ポンプを安価なものとすることができ、ひいては浄水装置を安価なものとすることができる。また、停電時や化石燃料が使用できない場合にも、飲用水と生活用水との確保が可能となる。
【００１７】
［３］本発明の浄水装置においては、第１フィルター部は、プレフィルター及びカーボンフィルターが用いられており、前記原水が前記プレフィルターを通過した後に前記カーボンフィルターを通過するように構成されていることが好ましい。
【００１８】
第１フィルター部がこのような構成となっていることにより、ポンプが送出した原水をプレフィルターで濾過した後にカーボンフィルターで濾過することができる。なお、プレフィルターでは、原水に含まれる比較的大きなゴミなどを除去することができ、カーボンフィルターでは原水に含まれる臭気、塩素及びゴミ（プレフィルターで除去できなかったゴミ）などを除去することができる。また、プレフィルターを設けることにより、当該プレフィルターよりも下流側に配置されているフィルターの目詰まりを抑制することができ、当該プレフィルターよりも下流側に配置されているフィルターの使用可能期間を長くすることができる。なお、プレフィルターとしては、例えば、セディメント（sediment）フィルターと呼ばれているフィルターを用いることができる。
【００１９】
このように構成されている第１フィルター部で生成された生活用水は、使用する原水によっては、手洗いや食器洗いなどには適さない場合もあり得るが、清掃などに用いるための生活用水としては十分使用可能な場合もある。また、使用する原水が汚染度の低い水であれば、洗濯など、より広い用途での使用も可能となる。
【００２０】
［４］本発明の浄水装置においては、第２フィルター部は、逆浸透膜フィルターが用いられており、第１フィルター部で生成された生活用水を、飲用水としての透過水と、濃縮水とに分離することが好ましい。
【００２１】
このように、第２フィルター部として逆浸透膜フィルターが用いられていることにより、第１フィルター部で濾過された水（生活用水）を、逆浸透膜で透過水と濃縮水とに分離することができ、逆浸透膜で分離された透過水は、殆どの化学物質や放射性物質などが除去された高純度の水（ほぼ純水）となっている。このため、逆浸透膜で分離された透過水は飲用水として適切なものとなる。
【００２２】
［５］本発明の浄水装置においては、前記逆浸透膜フィルターには、前記飲用水流出パイプに加えて、前記逆浸透膜フィルターで分離された前記濃縮水を外部に流出させる濃縮水流出パイプが接続されていることが好ましい。
【００２３】
これにより、濃縮水を外部に流出させることができる。なお、濃縮水流出パイプから流出する濃縮水は、除去対象物質が濃縮されたものとなっているが、使用する原水に含まれる除去対象物の内容によっては、例えば、水洗トイレや清掃用などのいわゆる中水として使用できる場合もあり、また、原水がもともと除去対象物質の少ない水であれば、生活用水と同様に使用可能な場合もある。
【００２４】
［６］本発明の浄水装置においては、前記濃縮水流出パイプには、前記濃縮水の流出量を調整可能な濃縮水流出量調整バルブが設けられていることが好ましい。
【００２５】
このような濃縮水流出量調整バルブを設けることにより、飲用水の流出量と濃縮水の流出量との比率から、タンク内の圧力が適正な圧力となっているか否かを判断することができる。すなわち、ポンプにおけるタンク内の圧力が所定圧力のときに、逆浸透膜フィルターによって生成される透過水（飲用水）と濃縮水との比率が所定の比率（例えばほぼ１：１）となるように濃縮水流出量調整バルブを調整しておけば、当該浄水装置の使用者は、飲用水の流出量と濃縮水の流出量とを例えば目分量で比較することによって、タンク内の圧力が適正な圧力となっているか否かを判断することができる。
【００２６】
［７］本発明の浄水装置においては、前記ポンプと、前記第１フィルター部と、第２フィルター部と、前記第３フィルター部と、前記第１導水パイプと、前記第２導水パイプと、前記飲用水流出パイプと、前記生活用水流出パイプと、前記濃縮水流出パイプと、前記流路切り替えバルブとを収納可能な収納ケースをさらに備え、前記飲用水流出パイプの少なくとも飲用水流出口、前記生活用水流出パイプの少なくとも生活用水流出口及び前記濃縮水流出パイプの少なくとも濃縮水流出口は、前記収納ケースから外方に突出していることが好ましい。
【００２７】
これにより、本発明の浄水装置の持ち運びや保管がし易いものとなり、災害時などにおいて、手軽に使用できる。
【００２８】
［８］本発明の浄水装置においては、前記飲用水流出パイプの少なくとも飲用水流出口、前記生活用水流出パイプの少なくとも生活用水流出口及び前記濃縮水流出パイプの少なくとも濃縮水流出口は、互いに異なった色で着色されていることが好ましい。
【００２９】
このようにすることにより、各パイプから流出してくる水の種類を直感的に分かりやすくすることができる。また、収納ケースの胴体部に各パイプに対応させて「飲用水」、「生活用水」及び「排水」などというように記述しておくようにしてもよい。これにより、本発明の浄水装置の使用者は、水の種類を間違えることなく、必要な水をポリタンクなどの容器に確保できる。
【００３０】
また、本発明の浄水装置の使用時において、当該浄水装置を使用可能とするための準備作業を行う際に、収納ケースの胴体部に収納されている各パイプをパイプの取り出し口から外部に取り出す作業を行い易くすることができる。すなわち、飲用水流出パイプの少なくとも飲用水流出口、生活用水流出パイプの少なくとも生活用水流出口及び濃縮水流出パイプの少なくとも濃縮水流出口が、互いに異なった色で着色され、かつ、収納ケースの胴体部に各パイプに対応させて「飲用水」、「生活用水」及び「排水」などというように記述しておくことによって、各パイプの取り出し口を間違えることなく、各パイプをパイプの取り出し口から外部に取り出す作業を行い易くすることができる。
【００３１】
［９］本発明の浄水装置においては、前記流路切り替えバルブ及び前記濃縮水流出量調整バルブは、前記収納ケースの外面から操作可能に設けられていることが好ましい。
【００３２】
これにより、流路切り替えバルブ及の流路切り替え操作及び濃縮水流出量調整バルブの濃縮水流量調整のための操作が、収納ケースの外面で行うこができ、操作性に優れたものとなる。
【００３３】
［１０］本発明の浄水装置においては、前記収納ケースは、内部が空洞で上端部及び下端部が開口となっている胴体部と、当該胴体部の上端部を塞ぐ上蓋と、当該胴体部の下端部を塞ぐ及び底蓋と、を有し、前記上蓋及び底蓋は、共通の金型によって成型されたものであることが好ましい。
【００３４】
このように、胴体部の上蓋及び底蓋を共通の金型によって成型可能とすることにより、収納ケースの製造コストを低く抑えることができ、本発明の浄水装置の価格を低く抑えることができる。それによって、本発明の浄水装置は普及し易いものとなり、災害用備品として家庭単位での普及も期待できる。
【００３５】
［１１］本発明の浄水装置においては、前記生活用水流出パイプには、第３フィルター部が介在され、当該第３フィルター部は、ＭＦ膜（Micro Filtration Membrane）フィルター又はＵＦ膜（Ultra Filtration Membrane）フィルターが用いられていることが好ましい。
【００３６】
このように、生活用水流出パイプには、ＭＦ膜（Micro Filtration Membrane）フィルター又はＵＦ膜（Ultra Filtration Membrane）フィルターが介在されていることにより、第１フィルター部によって生成された生活用水を、より純度の高いものとすることができる。このため、ＭＦ膜フィルター又はＵＦ膜フィルターで生成された生活用水は、清掃や洗濯などだけでなく、食器洗い、手洗い及び洗顔などにおいても使用可能なものとなり、生活用水として多用途に使用可能なものとなる。
【００３７】
すなわち、ＭＦ膜フィルター及びＵＦ膜フィルターは、大腸菌などの各種細菌を除去する機能を有しているため、ＭＦ膜フィルター又はＵＦ膜フィルターを通過した生活用水は、大腸菌などの各種細菌が除去されたものとなる。これにより、ＭＦ膜フィルター又はＵＦ膜フィルターで生成された生活用水は、清掃や洗濯などだけでなく、食器洗い、手洗い及び洗顔などにおいても使用可能なものとなり、生活用水として多用途に使用可能なものとなる。
【００３８】
なお、ＭＦ膜フィルター又はＵＦ膜フィルターは、第１フィルター部においてカーボンフィルターの直後に設けるようにしてもよいが、本発明の浄水装置においては、ＭＦ膜フィルター又はＵＦ膜フィルターは生活用水流出パイプに介在させるように設けている。これは、ＭＦ膜フィルター又はＵＦ膜フィルターを適切に機能させるためである。つまり、ＭＦ膜フィルター又はＵＦ膜フィルターに加わる圧力を当該ＭＦ膜フィルター又はＵＦ膜フィルターに適した圧力とするためである。この点については後に詳細に説明する。
【図面の簡単な説明】
【００３９】
【図１】実施形態１に係る浄水装置１０を説明するための示す図である。
【図２】図１に示す流路切り替えバルブ５００を説明するために示す図である。
【図３】実施形態２に係る浄水装置２０を説明するための示す図である。
【図４】収納ケース６００について説明するために示す図である。
【図５】実施形態２に係る浄水装置２０の使用方法について具体的に説明するために示す図である。
【発明を実施するための形態】
【００４０】
以下、本発明の実施形態について説明する。
【００４１】
[実施形態１]
図１は、実施形態１に係る浄水装置１０を説明するための示す図である。なお、図１は本発明の浄水装置の基本的な構成を模式的に示す図である。まず、図１を参照して、実施形態１に係る浄水装置１０について説明する。
【００４２】
実施形態１に係る浄水装置１０は、除去対象物質を含んだ原水を貯留して、貯留した原水を所定圧力で送出可能な畜圧式のポンプ１００と、ポンプ１００が送出した原水を濾過して生活用水を生成する第１フィルター部２００と、第１フィルター部２００で生成された生活用水をさらに濾過して生活用水よりも純度の高い飲用水を生成する第２フィルター部３００と、ポンプ１００と第１フィルター部２００との間に配設されており、ポンプ１００が送出した原水を第１フィルター部２００に導くための第１導水パイプ４１０と、第１フィルター部２００と第２フィルター部３００との間に配設されており、第１フィルター部２００で生成された生活用水を第２フィルター部３００に導くための第２導水パイプ４２０と、第２フィルター部３００に接続されており、当該第２フィルター部３００で生成された飲用水を外部に流出させるための飲用水流出パイプ４３０と、第２導水パイプ４２０の中途部に設けられ、生活用水を第２フィルター部３００に導くか、当該第２導水パイプ４２０から分岐して外部に流出させるかのいずれかに切り替え可能な流路切り替えバルブ５００と、流路切り替えバルブ５００に接続されており、当該流路切り替えバルブ５００によって第２導水パイプ４２０から分岐された生活用水を外部に流出させるための生活用水流出パイプ４４０と、図１においては図示されていないが、これら各構成要素を収納する収納ケース６００（図３参照。）とを備える。なお、収納ケース６００については後述する。
【００４３】
ポンプ１００は、手動によって操作可能な畜圧式のポンプであり、原水を貯留可能なタンク１１０と、タンク１１０内の圧力を高める加圧機構部１２０と、タンク１１０内の圧力が設定値を超えないように圧力調整を行う圧力調整弁１３０と、タンク内に貯留されている原水を送出する原水送出口１４０とを有している。なお、当該ポンプ１００は、「プレッシャー式噴霧器」などとして市販されている市販品を採用することができる。
【００４４】
加圧機構部１２０は、加圧ハンドル１２１と、加圧ハンドル１２１に取りけられているシャフト部１２２と、当該シャフト部１２２の下部に設けられているピストン部（図示せず。）と、当該ピストン部が挿入されるシリンダユニット部１２３などを有している。なお、シャフト部１２２は、原水供給口１１１に着脱自在に設けられている密閉蓋１１２を貫くように取り付けられている。このような構成となっている加圧機構部１２０は、加圧ハンドル１２１を上下方向（矢印ａ−ａ’）方向に往復運動させることによってタンク１１０内の圧力を高めることができる。
【００４５】
このように構成されているポンプ１００は、タンク１１０の容量が１２リットルのものを使用している。ポンプ１００は、タンク１１０内に原水を貯留した当初においては、タンク１１０内の圧力が所定圧力に達するまで、加圧ハンドル１２１を所定回数往復動させる必要があるが、当該ポンプ１００は畜圧式のポンプであるため、タンク１１０内の圧力が所定圧力に達した後においては、タンク１１０内の圧力を所定時間、維持することは可能である。なお、タンク１１０内の圧力維持のためには必要に応じて、加圧ハンドル１２１を操作すればよい。
【００４６】
また、圧力調整弁１３０には、圧力が所定圧力となっているか否かを示す圧力指示マーク（図１において例えば黒い線）Ｍ１が付されている。当該圧力指示マークＭ１は、圧力調整弁１３０がタンク１１０内の圧力の大きさに応じて上昇又は下降すると見え隠れするようになっており、当該圧力指示マークＭ１がタンク１１０との付け根部の位置（図１に示す位置）に現われていれば、所定圧力であることを示している。なお、図１はモノクロであるため、圧力指示マークＭ１は、図１においては黒色の線で示されているが、実際には、例えば赤色の線として示されている。
【００４７】
また、第１フィルター部２００及び第２フィルター部３００は、メンテナンス（フィルター点検、フィルタークリーニング又はフィルター交換など）を可能とするために、それぞれのフィルターは、それぞれ対応するパイプに対してコネクターによって着脱自在に接続されている。なお、実施形態１に係る浄水装置１０においては、コネクターは管継ぎ手ナットを用いるものとする。
【００４８】
具体的には、第１フィルター２００の流入口２０１ａは、第１導水パイプ４１０に対して管継ぎ手ナット２０１で接続され、第１フィルター２００の流出口２０１ｂは第２導水パイプ４２０のうちの前半部分（前半側第２導水パイプ４２１とする。）に対して管継ぎ手ナット２０２で接続され、第２フィルター３００の流入口３００ａは第２導水パイプ４２０のうちの後半部分（後半側第２導水パイプ４２２とする。）に対して管継ぎ手ナット３０２で接続されている。これにより、それぞれ対応する管継ぎ手ナットを緩めることにより、メンテナンスすべきフィルターを取り外すことができる。
これら
【００４９】
図２は、図１に示した流路切り替えバルブ５００を説明するために示す図である。なお、図２は図１における一点鎖線枠Ａ内を拡大して示しており、図１と同一構成要素には同一符号が付されている。
【００５０】
流路切り替えバルブ５００は、第１フィルター部２００で生成された生活用水を第２フィルター部３００に導くか、第２導水パイプ４２０から分岐して外部に流出させるかのいずれかに切り替え可能なバルブである。このような流路切り替えバルブ５００は、市販品を使用することができる。
【００５１】
流路切り替えバルブ５００は、図１及び図２に示すように、１つの流入口５１１と、２つの流出口（第１流出口５１２及び第２流出口５１３）と、流路切り替え摘み部５２０とを有している。そして、流路切り替えバルブ５００の流入口５１１には第１フィルター部２００から延出している第２導水パイプ４２０の前半側第２導水パイプ４２１が接続されており、第１流出口５１２には第２導水パイプ４２０の後半側第２導水パイプ４２２が接続されている。また、第１流出口５１２及び第２流出口５１３のうちの第２流出口５１３には、生活用水流出パイプ４４０が接続されている。
【００５２】
これにより、流路切り替え摘み部５２０を回転操作することによって、第１フィルター部２００で生成された生活用水を第２フィルター部３００に導くか、第２導水パイプ４２０から分岐して生活用水流出パイプ４４０を通して外部に流出させるかのいずれかに切り替えることができる。
【００５３】
例えば、流路切り替え摘み部５２０の切り替え指示マーク（図２において黒の三角形マーク）Ｍ２を、第１流出口５１２に付されている流路指示マーク（図２において黒の四角形マーク）Ｍ３に合わせるように流路切り替え摘み部５２０を矢印ｂ’方向に回転操作すると、生活用水は第２フィルター部３００へと導かれ、当該第２フィルター部３００で濾過された飲用水として飲用水流出口４３０ａから流出する。また、流路切り替え摘み部５２０の切り替え指示マークＭ２を、第２流出口５１３に付されている流路指示マーク（図２において黒の四角形マーク）Ｍ４に合わせるように流路切り替え摘み部５２０を矢印ｂ方向に回転操作すると、生活用水は生活用水流出パイプ４４０を通って生活用水流出口４４０ａから外部に流出する。
【００５４】
なお、図１及び図２はモノクロであるため、第１流出口５１２側及び第２流出口５１３側にそれぞれ示されている流路指示マークＭ３，Ｍ４は、色を分けで示すことができないが、それぞれを明確に区別できるように、例えば、流路指示マークＭ３は赤色、流路指示マークＭ４は青色というように色を分けてもよい。
【００５５】
このように、実施形態１に係る浄水装置１０においては、第１フィルター部２００で生成された生活用水を第２フィルター部３００に導くか、第２導水パイプ４２０から分岐して外部に流出させるかのいずれかに切り替え可能な流路切り替えバルブ５００を備えている。このため、実施形態１に係る浄水装置１０によれば、第２フィルター部３００で生成された飲用水と、第１フィルター部２００で生成された生活用水とを選択的に利用できる。これにより、実施形態１に係る浄水装置１０によれば、大きな労力を必要とせず手軽に飲用水と生活用水とを生成可能な水装置を提供することができる。
【００５６】
また、ポンプ１００は、手動によって操作可能なポンプであるため、停電時や化石燃料が使用できない場合にも、飲用水と生活用水との確保が可能となる。
【００５７】
また、ポンプ１００は、畜圧式のポンプであるため、所定の圧力を所定時間、維持した状態で原水を送出できる。このため、特許文献１に記載の浄水装置のように、手動式ポンプの加圧ハンドルを決められたピッチ（例えば、１秒間に１回）で上下動させるといった操作を継続的に行う必要はなく、不慣れな使用者とっても取り扱いを容易なものとすることができ、手軽に使用できるといった効果が得られる。
【００５８】
このように、実施形態１に係る浄水装置１０によれば、ポンプ１００は、比較的安価な市販のポンプを採用し、また、ポンプ１００以外のその他の構成要素も比較的安価な市販品を用いることができるため、浄水装置の価格を低く抑えることができ、また、構造も簡単であることから、故障などのトラブルが発生しにくい。このため、実施形態１に係る浄水装置１０は普及し易いものとなり、災害用備品として家庭単位での普及も期待できる。
【００５９】
[実施形態２]
図３は、実施形態２に係る浄水装置２０を説明するために示す図である。なお、図３は本発明の浄水装置の具体的な構成例を模式的に示す図である。図３において、図１に示す構成要素と同一の構成要素には同一符号が付されている。
【００６０】
実施形態２係る浄水装置２０は、図３に示すように、第１フィルター部２００としては、プレフィルター２１０とカーボンフィルター２２０とが用いられており、ポンプ１００から送出された原水が第１導水パイプ４１０を通ってプレフィルター２１０に入り、当該プレフィルター２１０を通過した後にカーボンフィルター２２０を通過するように構成されている。また、第２フィルター部３００としては、逆浸透膜フィルター（ＲＯ膜フィルター）が用いられている。
【００６１】
また、生活用水流出パイプ４４０には、第３フィルター部７００が介在されている。第３フィルター部７００は、ＭＦ膜（Micro Filtration Membrane）フィルター又はＵＦ膜（Ultra Filtration Membrane）フィルターが用いられている。但し、実施形態２に係る浄水装置２０においては、ＭＦ膜フィルターを用いるものとする。
【００６２】
ところで、実施形態２に係る浄水装置２０においては、ポンプ１００は、０．５ＭＰａの圧力で原水を送出するように設定されており、圧力調整弁１３０は、０．５ＭＰａを超えると内部の圧力を逃すように作動する。なお、０．５ＭＰａの圧力で原水を送出するようにしたのは、実施形態２に係る浄水装置２０において用いるＲＯ膜フィルターを適切に機能させるためである。なお、タンク１１０の耐圧は２．５ＭＰａとなっている。
【００６３】
また、ポンプ１００は、タンク１１０内に原水を貯留した当初においては、タンク１１０内の圧力が０．５ＭＰａに達するまで、加圧ハンドル１２１を所定回数往復動させる必要があるが、当該ポンプ１００は畜圧式のポンプであるため、タンク１１０内の圧力が０．５ＭＰａに達した後においては、タンク１１０内の圧力維持のために必要に応じて、加圧ハンドル１２１を操作すればよい。
【００６４】
なお、圧力調整弁１３０には、圧力がほぼ０．５ＭＰａであるか否かを示す圧力指示マーク（図１において例えば黒い線）Ｍ１が付されている。当該圧力指示マークＭ１は、圧力調整弁１３０がタンク１１０内の圧力の大きさに応じて上昇又は下降すると見え隠れするようになっており、当該圧力指示マークＭ１がタンク１１０との付け根部の位置（図１に示す位置）に現われていれば、ほぼ０．５ＭＰａであることがわかる。なお、図１はモノクロであるため、圧力指示マークＭ１は、図１においては黒色の線で示されているが、実際には、例えば赤色の線として示されている。
【００６５】
また、実施形態２に係る浄水装置２０においても、第２導水パイプ４２０の中途部には、実施形態１係る浄水装置２０において用いた流路切り替えバルブ５００が設けられている。実施形態２に係る浄水装置２０においては、流路切り替えバルブ５００は、流路切り替え摘み部５２０を回転操作することによって、第１フィルター部２００（プレフィルター２１０及びカーボンフィルター２２０）で生成された生活用水を第２フィルター部３００（ＲＯ膜フィルター３００）に導くか、第２導水パイプ４２０から分岐して外部に流出させるかのいずれかに切り替えることができる。
【００６６】
なお、第１フィルター部２００で生成された生活用水を第２導水パイプ４２０から分岐して外部に流出させる場合においては、当該生活用水は、第３フィルター部（ＭＦ膜フィルター７００）に導かれ、当該、第３フィルター部（ＭＦ膜フィルター７００）でさらに濾過された後に外部に流出する。
【００６７】
例えば、流路切り替え摘み部５２０の切り替え指示マーク（図３において黒の三角形マーク）Ｍ２を、第１流出口５１２に付されている流路指示マーク（図３において黒の四角形マーク）Ｍ３に合わせるように流路切り替え摘み部５２０を矢印ｂ’方向に回転操作すると、生活用水はＲＯ膜フィルター３００へと導かれる。また、流路切り替え摘み部５２０の切り替え指示マークＭ２を、第２流出口５１３に付されている流路指示マーク（図２において黒の四角形マーク）Ｍ４に合わせるように流路切り替え摘み部５２０を矢印ｂ方向に回転操作すると、生活用水はＭＦ膜フィルター７００に導かれる。
【００６８】
続いて、第１フィルター部２００、第２フィルター部３００及び第３フィルター部７００について説明する。第１フィルター部２００は、上記したように、プレフィルター２１０及びカーボンフィルター２２０が用いられており、当該プレフィルター２１０とカーボンフィルター２２０とは、連結パイプ４５０によって連結され、ポンプ１００から送出された原水は、プレフィルター２１０を通過した後にカーボンフィルター２２０を通過するように構成されている。
【００６９】
これにより、第１フィルター部２００においては、ポンプ１００が送出した原水をプレフィルター２１０で濾過した後にカーボンフィルター２２０で濾過する。なお、プレフィルターで２１０は、原水に含まれる比較的大きなゴミなどを除去することができ、カーボンフィルター２２０では原水に含まれる臭気、塩素及びゴミ（プレフィルター２１０で除去できなかったゴミ）などを除去することができる。また、プレフィルター２１０を設けることにより、当該プレフィルター２１０よりも下流側に配置されているフィルター（カーボンフィルター２２０、第２フィルター部３００としてのＲＯ膜フィルター及び第３フィルター部７００としてのＭＦ膜フィルター）の目詰まりを抑制することができ、これらの各フィルターの使用可能期間を長くすることができる。
【００７０】
なお、第１フィルター部２００で生成された生活用水は、使用する原水によっては、手洗いや食器洗いなどには適さない場合もあり得るが、清掃などには十分使用可能な場合もある。また、使用する原水が汚染度の低い水であれば、例えば、洗濯など、より広い用途での使用も可能となる。
【００７１】
第２フィルター部３００は、上記したように、ＲＯ膜フィルターが用いられており、第１フィルター部２００で生成された生活用水をＲＯ膜フィルターでさら濾過する。以下、第１フィルター部２００を「プレフィルター２１０及びカーボンフィルター２２０」と表記する場合もあり、また、第２フィルター部３００を「ＲＯ膜フィルター３００」と表記する場合もあり、第３フィルター部７００を「ＭＦ膜フィルター７００」と表記する場合もある。
【００７２】
ＲＯ膜フィルター３００は、第１フィルター部２００で生成された生活用水を、逆浸透膜で透過水と濃縮水とに分離する。逆浸透膜で分離された透過水は、殆どの化学物質や放射性物質などが除去された高純度の水（ほぼ純水）となっており、実施形態２に係る浄水装置２０においては、逆浸透膜で分離された透過水を飲用水として使用する。一方、濃縮水は化学物質などの不純物が濃縮されたものとのなっているが、使用する原水に含まれる除去対象物の内容によっては、例えば、水洗トイレや清掃用などのいわゆる中水として使用できる場合もあり、また、原水がもともと汚染度の低い水であれば、生活用水と同様に使用可能な場合もある。
【００７３】
このように、ＲＯ膜フィルター３００からは飲用水と濃縮水とが流出するため、当該ＲＯ膜フィルター３００には、ＲＯ膜フィルター３００から流出する飲用水を外部に流出させるための飲用水流出パイプ４３０の他に、濃縮水を外部に流出させる濃縮水流出パイプ４６０が接続されている。
【００７４】
また、ＭＦ膜フィルター７００は、プレフィルター２１０及びカーボンフィルター２２０で生成された生活用水から大腸菌などの各種細菌を除去することができる。このため、ＭＦ膜フィルターで生成された生活用水は、清掃や洗濯などだけでなく、食器洗い、手洗い及び洗顔などにおいても使用可能なものとなり、生活用水として多用途に使用可能なものとなる。
【００７５】
なお、ＭＦ膜フィルター７００は、第１フィルター部２００においてカーボンフィルター２２０の直後に設けるようにしてもよいが、実施形態２に係る浄水装置２０においては、ＭＦ膜フィルター７００は生活用水流出パイプ４４０に介在させるように設けている。これは、ＭＦ膜フィルター７００を適切に機能させるためである。つまり、ＭＦ膜フィルター７００に加わる圧力を当該ＭＦ膜フィルター７００に適した圧力とするためである。
【００７６】
すなわち、ＭＦ膜フィルター７００を適切に機能させるためには、ＭＦ膜フィルター７００に加わる圧力が０．２ＭＰａを超えないようにすることが好ましいからであり、仮に、ＭＦ膜フィルター７００を第１フィルター部２００に設けると、流路切り替えバルブ５００の流路切り替え摘み部５２０を流路指示マークＭ３（ＲＯ膜フィルター３００側）切り替えた場合に、ＭＦ膜フィルター７００に所定以上の圧力（この場合、０．５ＭＰａ）の圧力が加わってしまうからである。
【００７７】
これを避けるために、実施形態２に係る浄水装置２０においては、ＭＦ膜フィルター７００は、生活用水流出パイプ４４０に介在させている。なお、流路切り替えバルブ５００の流路切り替え摘み５２０を第１流出口５１２側（ＲＯ膜フィルター３００側）から第２流出口５１３側（生活用水流出パイプ４４０側）に切り替え操作する場合には、ポンプ１００のタンク１１０内の圧力を０．２ＭＰａ以下とする。
【００７８】
ポンプ１００のタンク１１０内の圧力を０．２ＭＰａ以下とするには、例えば、圧力調整弁１３０を操作することによって可能となる。また、タンク１１０内の圧力が０．２ＭＰａ以下であるか否かの判断は、例えば、ポンプ１００に設けられている圧力調整弁１３０の位置によって判断できる。すなわち、圧力調整弁１３０には、圧力がほぼ０．５ＭＰａであることを示す圧力指示マークＭ１の他に、図示は省略するが、圧力がほぼ０．２ＭＰａであることを示す圧力指示マーク（例えば、緑色のマーク）を設けておき、この緑色の圧力指示マークがタンク１１０との付け根部の位置に現われていれば、ほぼ０．２ＭＰａであることがわかる。
【００７９】
このように、ポンプ１００のタンク１１０内の圧力が０．２ＭＰａ以下となった上で、流路切り替えバルブ５００の流路切り替え摘み５２０を第１流出口５２１側から第２流出口５１３側に切り替え操作すると、第１フィルター部２００によって生成された生活用水は、第３フィルター部（ＭＦ膜フィルター７００）に入り、当該ＭＦ膜フィルター７００でさらに濾過されて生活用水流出パイプ４４０から外部に流出する。
【００８０】
なお、実施形態２に係る浄水装置２０においては、ＭＦ膜フィルター７００を用いた場合を例示しているが、ＭＦ膜フィルター７００の代わりにＵＦ膜フィルターを用いた場合においても同様のことが言える。なお、ＵＦ膜フィルターの耐圧はＭＦ膜フィルター７００とは少し異なるが、ＭＦ膜フィルター７００と同様に、ＵＦ膜フィルターに所定以上の圧力（この場合、０．５ＭＰａ）の圧力が加わらないようにすることが好ましい。
【００８１】
ところで、ＲＯ膜フィルター３００に接続される飲用水流出パイプ４３０及び濃縮水流出パイプ４６０、第３フィルター部７００（ＭＦ膜フィルター７００）が介在される生活用水流出パイプ４４０は、それぞれ柔軟性を有する材質でなるパイプが用いられている。
【００８２】
また、濃縮水流出パイプ４６０には、濃縮水の流出量を調整可能な濃縮水流出量調整バルブ４７０が設けられている。ここで、ポンプ１００におけるタンク１１０内の圧力が所定圧力（ほぼ０．５ＭＰａ）のときに、ＲＯ膜フィルター３００によって生成される飲用水と濃縮水との比率がほぼ１：１（ほぼ同量）となるように濃縮水流出量調整バルブ４７０を調整しておけば、ＲＯ膜フィルター３００によって生成される飲用水の流出量と濃縮水の流出量からタンク１１０内の圧力が適正な圧力であるか否かを判断できる。
【００８３】
すなわち、飲用水の流出量と濃縮水の流出量がほぼ１：１であれば、ポンプ１００のタンク１１０内の圧力はほぼ０．５ＭＰａであるといえる。なお、濃縮水流出量調整バルブ４７０における濃縮水の流出量調整は、流出量調整摘み部４７１を時計方向又は反時計方向に回すことによって行うことができる。なお、濃縮水との比率がほぼ１：１（ほぼ同量）となっているか否かは、使用者が目分量によって判断することができる。
【００８４】
ところで、実施形態２に係る浄水装置２０において、ポンプ１００におけるタンク１１０内の圧力をほぼ０．５ＭＰａとして原水を送出するようにしたのは、実施形態２に係る浄水装置２０で使用するＲＯ膜フィルター３００の耐圧及び当該浄水装置２０において使用されている各パイプなどの耐圧を考慮したものである。但し、ＲＯ膜フィルター３００の耐圧をより大きなものを採用し、かつ、当該浄水装置１０の各パイプ及びＲＯ膜フィルター以外の各フィルターなどの耐圧を大きく設定できれば、ポンプ１００におけるタンク１１０内の圧力をより高い圧力として原水を送出することも可能であり、その場合においては、飲用水と濃縮水との比率がほぼ１：１ではなく、飲用水の濃縮水に対する比率を大きくすることも可能である。
【００８５】
また、プレフィルター２１０、カーボンフィルター２２０、ＲＯ膜フィルター３００及びＭＦ膜フィルター７００は、メンテナンス（フィルター点検、フィルタークリーニング又はフィルター交換など）を可能とするために、それぞれのフィルターは、それぞれ対応するパイプに対してコネクターによって着脱自在に接続されている。なお、実施形態２に係る浄水装置２０においても、実施形態１に係る浄水装置１０と同様、コネクターは管継ぎ手ナットを用いるものとする。
【００８６】
具体的には、プレフィルター２１０の流入口２１０ａは、第１導水パイプ４１０に対して管継ぎ手ナット２１１で接続され、プレフィルター２１０の流出口２１０ｂは連結パイプ４５０に対して管継ぎ手ナット２１２で接続され、カーボンフィルター２２０の流入口２２０ａは連結パイプ４５０に対して管継ぎ手ナット２２１で接続され、カーボンフィルター２２０の流出口２２０ｂは、前半側第２導水パイプ４２１に対して管継ぎ手ナット２２２で接続されている。
【００８７】
また、ＲＯ膜フィルター３００の流入口３００ａは後半側第２導水パイプ４２２に対して管継ぎ手ナット３１１で接続され、ＲＯ膜フィルター３００の透過水（飲用水）流出口３００ｂは、飲用水流出パイプ４３０に対して管継ぎ手ナット３１２で接続され、ＲＯ膜フィルター３００の濃縮水流出口４６０ａは、濃縮水流出パイプ４６０に対して管継ぎ手ナット３１３で接続されている。
【００８８】
また、ＭＦ膜フィルター７００の流入口７００ａは、生活用水流出パイプ４４０に対して管継ぎ手ナット７１１で接続され、ＭＦ膜フィルター７００の流出口７００ｂは、生活用水流出パイプ４４０に対して管継ぎ手ナット７１２で接続されている。
【００８９】
そして、各管継ぎ手ナット２１１，２１２，２２１，２２２，３１１，３１２，３１３，７１１，７１２は、通常時においては、水漏れが生じないように締め付けられた状態となっており、フィルターのメンテナンス時などにおいては、それぞれ対応する管継ぎ手ナットを緩めることで、メンテナンスすべきフィルターを取り外すことができるようになっている。
【００９０】
また、プレフィルター２１０、カーボンフィルター２２０及びＲＯ膜フィルター３００は、１つのフィルター収納ケース（図示せず。）に収納されており、フィルターカートリッジとして取り扱うことができるようになっている。なお、図１において、一点鎖線枠Ｂで囲った範囲がフィルターカートリッジとなる範囲を示しており、以下、一点鎖線枠Ｂで囲った範囲をフィルターカートリッジＢとして説明する。
【００９１】
フィルターカートリッジＢは、管継ぎ手ナット２１１，２１２，２２１，２２２，３１１，３１２，３１３を緩めることによって、当該フィルターカートリッジＢを浄水装置２０から取り出すことができる。これにより、フィルターカートリッジＢ内の各フィルターのメンテナンスを行う際には、フィルターカートリッジＢを浄水装置２０から取り出すことができるため、メンテナンスがし易いものとなる。
【００９２】
実施形態２に係る浄水装置２０においても、実施形態１に係る浄水装置１０と同様、実施形態２に係る浄水装置２０の各構成要素(ポンプ１００、第１フィルター部２００、第２フィルター部３００、第３フィルター部７００、第１導水パイプ４１０、第２導水パイプ４２０、飲用水流出パイプ４３０、生活用水流出パイプ４４０、濃縮水流出パイプ４６０など)を収納する収納ケース６００をさらに備えている。
【００９３】
図４は、収納ケース６００について説明するために示す図である。図４においては、実施形態２に係る浄水装置２０の各構成要素を収納するための収納ケースについて説明するが、実施形態１に係る浄水装置１０においてもほぼ同様の構成とすることができる。なお、図４（ａ）は斜視図であり、図４（ｂ）は図４（ａ）に示す収納ケース６００をｚ軸に沿って上方向から平面視した図である。図４（ｂ）において、上蓋６２０に描かれている一点鎖線枠Ｃはポンプ１００が収納されている箇所に対応する領域を仮想的に示し、一点鎖線枠ＤはフィルターカートリッジＢ及びＭＦ膜フィルター７００が収納されている箇所に対応する領域を仮想的に示している。
【００９４】
収納ケース６００は、図４に示すように、直方体形状をなし、内部が空洞で上端部及び下端部が開口となっている胴体部６１０と、当該胴体部６１０の上端部を塞ぐ上蓋６２０と、当該胴体部６１０の下端部を塞ぐ及び底蓋６３０と、を有している。これら上蓋６２０及び底蓋６３０は、胴体部６１０にそれぞれ対して数箇所でネジ止めによって固定されている。
【００９５】
なお、上蓋６２０及び底蓋６３０は、共通の金型によって成型可能とするように、基本的な構成は同じものとしている。すなわち、使用する材料及外形寸法などは、上蓋６２０と底蓋６３０とで同じとする。このように、上蓋６２０及び底蓋６３０を共通の金型によって成型可能とすることにより、収納ケース６００の製造コストを低く抑えることができ、それによって浄水装置１０の価格を低く抑えることができる。
【００９６】
ただし、共通の金型で上蓋６２０及び底蓋６３０を成型したのちにおいては、上蓋６２０には、底蓋６３０とは異なる加工が施されている。すなわち、上蓋６２０の一部の領域（ポンプ１００が収納されている領域Ｃを含む領域）を矢印ｃ−ｃ’方向に開閉可能とするために、ヒンジ部６２１を形成する加工が施されている。なお、上蓋６２０において矢印ｃ−ｃ’方向に開閉可能となっている一部の領域を「開閉部６２２」とする。
【００９７】
このように、上蓋６２０の一部の領域に開閉部６２２を設けることによって、上蓋６２０全体を胴体部６１０から取り外すことなく、ポンプ１００におけるタンク１１０内に原水を補給したり、加圧ハンドル１２１を操作したりすることできる。タンク１１０内に原水を供給したり、加圧ハンドル１２１を操作したりすることは頻繁に行う必要があるため、上蓋６２０に開閉部６２２が存在していると利便性の面で好都合である。なお、第１フィルター部２００及び第２フィルター部３００のメンテナンスのためにフィルターカートリッジＢを取り外す場合、また、第３フィルター部７００のメンテナンスのために第３フィルター部７００を取り外す場合、さらには各パイプのメンテナンスを行う場合には、上蓋６２０全体を胴体部６１０から取り外せばよい。
【００９８】
また、フィルターカートリッジＢが収納されている箇所に対応する上蓋６２０の位置には、流路切り替えバルブ５００と、濃縮水流出量調整バルブ４７０とを収納ケース６００の外部から操作できるように、流路切り替えバルブ５００の流路切り替え摘み部５２０と、濃縮水流出量調整バルブ４７０の流出量調整摘み部４７１とを収納ケース６００から露出させることができるような開口部６２３，６２４を形成する。なお、開口部６２３，６２４は、凹部として、流路切り替え摘み部５２０と流出量調整摘み部４７１とがそれぞれ上蓋６２０の面から上方に出っ張らないようにしている。
【００９９】
このように、流路切り替え摘み部５２０と流出量調整摘み部４７１とを収納ケース６００から露出させることにより、収納ケース６００の外部から、流路切り替え摘み部５２０部及び流出量調整摘み部４７１をそれぞれ操作することができる。なお、この場合、流路切り替えバルブ５００においては、流路切り替え摘み部５２０だけが収納ケース６００から露出し、第１流出口５１２及び第２流出口５１３などは外部から目視できない位置となる場合には、第１流出口５１２及び第２流出口５１３にそれぞれ示されている流路指示マークＭ３，Ｍ４は、上蓋６２０に描くようにしてもよい。図３においては、流路指示マークＭ３，Ｍ４は上蓋６２０に描かれている場合が示されている。この場合も、各流路指示マークＭ３，Ｍ４は、それぞれを明確に区別できるように例えば赤色と青色というように色を分けてもよい。
【０１００】
また、収納ケース６００の胴体部６１０からは、飲用水流出パイプ４３０の少なくとも飲用水流出口４３０ａ、生活用水流出パイプ４４０の少なくとも生活用水流出口４４０ａ、濃縮水流出パイプ４６０の少なくとも濃縮水流出口４６０ａがそれぞれ外方に突出している。
【０１０１】
具体的には、飲用水流出パイプ４３０及び生活用水流出パイプ４４０は、収納ケース６００の胴体部６１０における正面側から外方に所定の長さだけ突出しており、濃縮水流出パイプ４６０は、飲用水流出パイプ４３０及び生活用水流出パイプ４４０が突出している面（正面側）と異なる面（例えば側面とする。）から外方に所定の長さだけ突出している。
【０１０２】
このように、飲用水流出パイプ４３０及び生活用水流出パイプ４４０と、濃縮水流出パイプ４６０とを、収納ケース６００の異なった外面から突出させることにより、当該浄水装置２０から流出する濃縮水を飲用水及び生活用水と間違えて使用してしまうといったことを未然に防ぐことができる。
【０１０３】
また、飲用水流出パイプ４３０、生活用水流出パイプ４４０及び濃縮水流出パイプ４６０は、それぞれ柔軟性を有する材質でなるパイプであるため、飲用水流出パイプ４３０、生活用水流出パイプ４４０及び濃縮水流出パイプ４６０をそれぞれ所定の長さだけ収納ケース６００の胴体部６１０から外方に突出させた状態とすると、各パイプの突出部分の向きをある程度自由に変えることができる。これにより、飲用水流出パイプ４３０、生活用水流出パイプ４４０及び濃縮水流出パイプ４６０から流出する生活用水、飲用水及び濃縮水をそれぞれに対応して用意したポリエチレンタンク（ポリタンクと略記する。）などの容器に注入する場合に、注入し易くなる。
【０１０４】
また、各パイプの突出部分を色分けするようにしてもよい。例えば、飲用水流出パイプ４３０の少なくとも飲用水流出口４３０ａは緑色、生活用水流出パイプ４４０の少なくとも生活用水流出口４４０ａは赤色、濃縮水流出パイプ４６０の少なくとも濃縮水流出口４６０ａ分は黒色というように色分けする。このようにすることにより、各パイプから流出してくる水の種類を直感的に分かりやすくすることができる。また、収納ケース６００の胴体部６１０に各パイプに対応させて「飲用水」、「生活用水」及び「排水」などというように記述しておくようにしてもよい。これにより、浄水装置１０の使用者は、水の種類を間違えることなく、必要な水をポリタンクなどの容器に確保できる。
【０１０５】
続いて、上記のように構成された実施形態２に係る浄水装置２０の使用方法について具体的に説明する。
【０１０６】
図５は、実施形態２に係る浄水装置２０の使用方法について具体的に説明するために示す図である。実施形態２に係る浄水装置２０の使用時においては、当該浄水装置を使用可能とするための準備を行う。当該浄水装置２０を使用可能とするための準備としては、まず、収納ケース６００に収納されている各パイプ（飲用水流出パイプ４３０、生活用水流出パイプ４４０及び濃縮水流出パイプ４６０）をパイプの取り出し口から外部に取り出す。
【０１０７】
そして、飲用水流出パイプ４３０の飲用水流出口４３０ａ、生活用水流出パイプ４４０の生活用水流出口４４０ａ及び濃縮水流出パイプ４６０の濃縮水流出口４６０ａをそれぞれ対応する容器（ポリタンクＰＴ１，ＰＴ２，ＰＴ３とする。）の注水口に差し込む。
次に、収納ケース６００における上蓋６２０の開閉部６２２を図５に示すように開ける。そして、ポンプ１００の密閉蓋１１２を外して原水供給口１１１からタンク１１０内に所定量（例えば１２リットル）の原水を供給する。なお、原水は河川、貯水池、貯水層などの水を例示できる。所定量の原水を供給したら、密閉蓋１１２で原水供給口１１１を密閉する。
【０１０８】
続いて、加圧ハンドル１２１を上下動操作する。この上下動操作は圧力調整弁１３０の圧力指示マークＭ１がタンク１１０との付け根部に現れるまで行う。圧力調整弁１３０の圧力指示マークＭ１がタンク１１０との付け根部に現れるようになれば、タンク１１０内の圧力はほぼ０．５ＭＰａに達したこととなる。
【０１０９】
このように、加圧ハンドル１２１を上下動操作することによって、タンク１１０内の原水は、第１導水パイプ４１０を通過した後に、プレフィルター２１０及びカーボンフィルター２２０を通過して生活用水が生成される。このとき、流路切り替えバルブ５００の流路切り替え摘み部５２０が流路指示マークＭ３側（図２に示す第１流出口５１２側）に切り替えられているとすれば、プレフィルター２１０及びカーボンフィルター２２０で生成された生活用水は、後半側第２導水パイプ４２２を通過してＲＯ膜フィルター３００に流入する。
【０１１０】
ＲＯ膜フィルター３００に流入した生活用水は、ＲＯ膜フィルター３００によって透過水と濃縮水とに分離され、透過水は飲用水として飲用水流出パイプ４３０から流出し、濃縮水は濃縮水流出パイプ４６０から流出する。このとき、タンク１１０内の圧力がほぼ０．５ＭＰａに達していれば、飲用水流出パイプ４３０から流出する飲用水の流出量と、濃縮水流出パイプ４６０から流出する濃縮水の流出量との比率はほぼ１:１（ほぼ同量）となる。換言すれば、飲用水の流出量と濃縮水の流出量とがほぼ１：１（ほぼ同量）となっていれば、タンク１１０内の圧力はほぼ０．５ＭＰａに達していると判断することができる。なお、飲用水流出パイプ４３０から流出した飲用水は、ポリタンクＰＴ１に貯留され、濃縮水流出パイプ４６０から流出した濃縮水は、ポリタンクＰＴ３に貯留される。
【０１１１】
一方、飲用水の流出量よりも濃縮水の流出量が上回ってきた場合には、タンク内の圧力が０．５ＭＰａよりも下回ってきていると判断することができる。飲用水の流出量よりも濃縮水の流出量が上回ってきた場合には、加圧ハンドル１２１を操作して、両者の流出量がほぼ１：１となるようにする。また、飲用水の流出量及び濃縮水の流出量に基づいて、タンク１１０内に原水の貯留量を判断して、必要に応じて原水の補給を行う。実施形態２係る浄水装置２０においては、１時間当たり１５リットル程度の飲用水を生成可能となる。
【０１１２】
このようにして、飲用水を確保できるが、上記したように、飲用水の１時間あたりの生成可能量は１５リットル程度であるため、洗濯などのように多くの水を確保する必要がある場合には、流路切り替えバルブ５００の流路切り替え摘み５２０を流路指示マークＭ４側（図２に示す第２流出口５１３側）に切り替え操作する。
【０１１３】
流路切り替えバルブ５００の流路切り替え摘み５２０を第１流出口４１２側から第２流出口５１３側に切り替え操作する場合には、ポンプ１００のタンク１１０内の圧力を０．２ＭＰａ以下とすることが好ましい。この理由は、前述したように、ＭＦ膜フィルター７００を適切に機能させるためには、ＭＦ膜フィルター７００に所定以上の圧力（０．２ＭＰａ以上の圧力）が加わらないようにすることが好ましいからである。
【０１１４】
ポンプ１００のタンク１１０内の圧力が０．２ＭＰａ以下となった上で、流路切り替えバルブ５００の流路切り替え摘み５２０を第１流出口４１２側から第２流出口５１３側に切り替え操作すると、第１フィルター部２００によって生成された生活用水は、第３フィルター部（ＭＦ膜フィルター７００）に入り、当該ＭＦ膜フィルター７００でさらに濾過されて生活用水流出パイプ４４０から外部に流出して、ポリタンクＰＴ２に貯留される。
【０１１５】
なお、流路切り替えバルブ５００の流路切り替え摘み５２０を第２流出口５１３側に切り替え操作することにより、生活用水が第３フィルター部（ＭＦ膜フィルター７００）を通過して生活用水流出パイプ４４０から外部に流出している状態では、生活用水の流れは円滑であるため、ＭＦ膜フィルター７００に加わる圧力は小さく、ＭＦ膜フィルター７００に加わる圧力が０．２ＭＰａを越えることはない。
【０１１６】
第１フィルター部２００及び第３フィルター部７００での原水に対する生活用水の回収率は高く、１時間当たり１５０リットル程度の生活用水を生成可能であるため、生活用水流出パイプ４４０から流出する生活用水は、洗濯など多くの水を使用する場合にも対応可能となる。また、第３フィルター部７００を通過した生活用水は、大腸菌などの各種細菌が除去されたものとなっているため、清掃や洗濯などだけでなく、食器洗い、手洗い及び洗顔などにおいても使用可能なものとなり、生活用水として多用途に使用可能なものとなる。
【０１１７】
なお、濃縮水流出パイプ４６０から流出する濃縮水は、除去対象物質が濃縮されたものとなっているが、使用する原水に含まれる除去対象物の内容によっては、例えば、水洗トイレや清掃用などのいわゆる中水として使用できる場合もあり、また、原水がもともと除去対象物質の少ない水であれば、生活用水と同様に使用可能な場合もある。また、濃縮水を使用する必要が特になければ、例えば、ポリタンクＰＴ３に貯留した後に、排水として排水路又は下水道などに流出させるようにしてもよい。
【０１１８】
以上説明したように、実施形態２に係る浄水装置２０においては、第１フィルター部２００（プレフィルター２１０及びカーボンフィルター２２０）と第２フィルター部（ＲＯ膜フィルター）３００との間に配設されている第２導水パイプ４２０の中途部に、流路切り替えバルブ５００を設け、第１フィルター部２００で生成された生活用水を第２フィルター部（ＲＯ膜フィルター）３００に導くか、当該第２導水パイプ４２０から分岐して第３フィルター部７００（ＭＦ膜フィルター７００）に導くかのいずれかに切り替え可能としている。
【０１１９】
このように、実施形態２に係る浄水装置２０によれば、実施形態１に係る浄水装置１０と同様に、大きな労力を必要とせず手軽に飲用水の確保と生活用水の確保とが可能となる浄水装置とすることができる。また、実施形態２に係る浄水装置２０においては、第１フィルター部２００及び第３フィルター部７００での原水に対する生活用水の回収率は高く、１時間当たり１５０リットル程度の生活用水を生成可能であるため、洗濯など多くの水を使用する場合にも対応可能となる。
【０１２０】
また、実施形態２に係る浄水装置２０によれば、第１フィルター部２００（プレフィルター２１０及びカーボンフィルタ―２２０）で生成された生活用水を、第３フィルター７００（ＭＦ膜フィルター７００）でさらに濾過しているため、第１フィルター部２００で生成された生活用水を、より純度の高いものとすることができる。このため、ＭＦ膜フィルター７００で生成された生活用水は、清掃や洗濯などだけでなく、食器洗い、手洗い及び洗顔などにおいても使用可能なものとなり、生活用水として多用途に使用可能なものとなる。
【０１２１】
また、実施形態２に係る浄水装置２０によれば、実施形態１に係る浄水装置１０と同様に、ポンプ１００は、手動によって操作可能なポンプであるため、停電時や化石燃料が使用できない場合にも、飲用水と生活用水との確保が可能となる。
【０１２２】
また、ポンプ１００は、畜圧式のポンプであるため、所定の圧力を所定時間、維持した状態で原水を送出できる。このため、特許文献１に記載の浄水装置のように、手動式ポンプの加圧ハンドルを決められたピッチ（例えば、１秒間に１回）で上下動させるといった操作を継続的に行う必要はなく、不慣れな使用者とっても取り扱いを容易なものとすることができ、手軽に使用できるといった効果が得られる。
【０１２３】
このように、実施形態２に係る浄水装置２０によれば、ポンプ１００は、比較的安価な市販のポンプを採用し、また、ポンプ１００以外のその他の構成要素も比較的安価な市販品を用いることができるため、浄水装置の価格を低く抑えることができ、また、構造も簡単であることから、故障などのトラブルが発生しにくいため、実施形態２に係る浄水装置２０は普及し易いものとなり、災害用備品として家庭単位での普及もが期待できる。
【０１２４】
なお、本発明は上述の実施形態に限られるものではなく、本発明の要旨を逸脱しない範囲で種々変形実施可能となるものである。たとえば、下記に示すような変形実施も可能である。
【０１２５】
（１）上記実施形態２においては、第１フィルター部２００として、プレフィルターとカーボンフィルターとを用いた場合を例示したが、必ずしも、プレフィルターとカーボンフィルターとの組み合わせである必要はなく、ポンプ１００から送出される原水に対する回収率が高く、かつ、生活用水として使用可能な程度の純度を有する水の生成が可能であれば、他のフィルターの組み合わせであってもよく、また、一種類のフィルターであってもよい。
【０１２６】
（２）上記実施形態２においては、飲用水流出パイプ４３０から流出する飲用水の流出量と濃縮水流出パイプ４６０から流出する濃縮水の流出量との比率の判断は、当該浄水装置１０の使用者は目分量で行う場合を例示したが、目分量ではなく、実際の流量などを計測して定量的に行えるようにしてもよい。
【０１２７】
（３）上記実施形態２においては、第２フィルター部３００としては、ＲＯ膜フィルターを用いた場合を例示したが、ＲＯ膜フィルターと同等の濾過性能を有するフィルターが存在すれば、そのフォルターをＲＯ膜フィルターの代わりに用いてもよい。
【０１２８】
（４）上記実施形態２においては、第１フィルター部２００としてプレフィルターとカーボンフィルターとを用い、第２フィルター部３００としてＲＯ膜フィルターを用い、第３フィルター部７００としてＭＦ膜フィルターを用いた場合を例示したが、これらに加えて、イオン交換樹脂フィルターなどのフィルターを設けるようにしてもよい。また、第３フィルター部７００としては、ＭＦ膜フィルターの代わりにＵＦ膜フィルターを用いてもよい。
【０１２９】
(５)上記実施形態２においては、生活用水流出パイプ４４０にＭＦ膜フィルター７００（ＵＦ膜フィルターでもよい。）を生活用水流出パイプに介在させるようにして、大腸菌などの各種細菌を除去するようにしたが、０．５ＭＰａ程度の圧力を加えることができ、かつ、ＭＦ膜フィルター又はＵＦ膜フィルターと同等の濾過機能を有するフィルターが存在すれば、このようなフィルターは、生活用水流出パイプ４４０に介在せるのではなく、第１フィルター部２００においてカーボンフィルター２２０の直後に設けるようにしてもよい。
【０１３０】
(６)上記実施形態２においては、プレフィルター２１０、カーボンフィルター２２０及びＲＯ膜フィルター３００を、１つのフィルター収納ケースに収納してフィルターカートリッジとして取り扱う場合を例示したが、ＭＦ膜フィルター７００も上記各フィルターに加えて１つのフィルター収納ケースに収納して、フィルターカートリッジとして取り扱うようにしてもよい。
【０１３１】
（７）上記各実施形態においては、収納ケース６００の形状は、直方体形状としたが、直方体形状に限られるものではなく、例えば、端面が円形又は楕円形などで胴体部が曲面となっている筒形状であってもよい。
【０１３２】
（８）上記各実施形態においては、ポンプ１００としては手動式ポンプを例示したが、手動式ポンプと動力式ポンプとを選択的に使用可能としてもよい。これは、災害時であっても、電気やガソリンなどの化石燃料が使用できる場合もあり得るためであり、動力式ポンプの使用が可能であれば、飲用水及び生活用水の確保がより効率的に可能となる。
【０１３３】
（９）上記各実施形態においては、各フィルターをそれぞれ対応するパイプに対して着脱自在に接続する際に用いられるコネクターとしては、管継ぎ手ナットを用いる場合を例示したが、管継ぎ手ナットに限られるものではなく、例えば、ワンタッチで着脱が可能なワンタッチ式コネクターを用いてもよい。
【０１３４】
（１０）上記各実施形態において、原水供給口１１１からタンク１１０内に原水を供給する際に、原水供給口１１１にフィルター（例えば、コーヒーを抽出する際に用いるフィルター）を取り付けて、当該フィルター（原水供給口フィルターという。）を通して原水をタンク１１０内に供給するようにしてもよい。このようにすることによって、原水供給口フィルターによって、ある程度のゴミなどを除去できるため、当該原水供給口フィルターよりも下流側に配置されているフィルターの目詰まりを抑制することができ、当該原水供給口フィルターよりも下流側に配置されているフィルターの使用可能期間を長くすることができる。なお、原水供給口フィルターとしてコーヒー抽出用のフィルターを用いることによって、容易に交換が可能であるため、原水供給口フィルターが目詰まりした場合には容易に交換できる。
【０１３５】
（１１）上記各実施形態においては、ポンプ１００は手動操作によって圧力を所定圧力まで上昇させるようにしたが、手動操作ではなく、例えば、圧縮空気出力装置を用意して、当該圧縮空気出力装置から所定圧力の空気をポンプ１００のタンク１１０内に送り込むようにしてもよい。
【０１３６】
（１２）上記各実施形態に係る浄水装置は、災害時において使用することを想定したが、災害時だけでなく、飲用水や生活用水の確保が困難なキャンプなどの野外活動や、同じく飲用水や生活用水の確保が困難な場所で行われる各種イベントなどにおいても重宝なものとなる。
【符号の説明】
【０１３７】
１０，２０・・・浄水装置、１００・・・ポンプ、１１０・・・タンク、１２０・・・加圧機構部、２００・・・第１フィルター部、２１０・・・プレフィルター、２２０・・・カーボンフィルター、３００・・・第２フィルター部（ＲＯ膜フィルター）、４１０・・・第１導水パイプ、４２０・・・第２導水パイプ、４３０・・・飲用水流出パイプ、４３０ａ・・・飲用水流出口、４４０・・・生活用水流出パイプ、４４０ａ・・・生活用水流出口、４６０・・・濃縮水流出パイプ、４６０ａ・・・濃縮水流出口、４７０・・濃縮水流出量調整バルブ、４７１・・・流出量調整摘み部、５００・・・流路切り替えバルブ、５２０・・・流路切り替え摘み部、６００…収納ケース、６１０・・・胴体部、６２０・・・上蓋、６３０・・・底蓋、７００・・・第３フィルター部（ＭＦ膜フィルター）
【図１】
2018015729.tif 000003
【図２】
2018015729.tif 000004
【図３】
2018015729.tif 000005
【図４】
2018015729.tif 000006
【図５】
2018015729.tif 000007